(57)【要約】【課題】発光面積を減少させることなく冷却機構を設け、長時間の使用に対しても輝度が低下しない水銀放電管及びそれを用いた表示装置用照明装置、液晶表示装置を提供する。【解決手段】気密状態で且つ水銀を内封してなる外管４ｂの中心軸上に内管４ａが挿通され、外管４ｂに電極１３が設けられ、且つ、外管４ｂ内壁に蛍光体４ｄが設けられた水銀放電管４の内管４ａ内に冷却用流体を流通させた。【選択図】図２
2008112657.tif 000002
【特許請求の範囲】
【請求項１】
気密状態で且つ水銀を内封してなる外管の中心軸上に内管が挿通され、
前記外管に電極が設けられ、且つ、前記外管内壁に蛍光体が設けられた水銀放電管において、
前記内管内を冷却用流体が流通することを特徴とする水銀放電管。
【請求項２】
気密状態で且つ水銀を内封してなる外管の中心軸上に内管が設けられ、
前記外管に電極が設けられ、且つ、前記外管内壁に蛍光体が設けられた水銀放電管において、
前記内管が前記電極近傍で屈曲して前記外管側面を貫通し、
前記内管内を冷却用流体が流通することを特徴とする水銀放電管。
【請求項３】
前記内管の中心軸と前記外管の中心軸が同軸上にないことを特徴とする請求項１又は請求項２に記載の水銀放電管。
【請求項４】
前記電極がフィラメントコイルを有し、前記フィラメントコイルが前記内管を取り巻くように設けられていることを特徴とする請求項１及至請求項３のいずれか１に記載の水銀放電管。
【請求項５】
光源に請求項１及至請求項４のいずれかの水銀放電管を用いたことを特徴とする表示装置用照明装置。
【請求項６】
請求項５に記載の表示装置用照明装置と、前記光源から出射した光を制御する光制御部材とを備えることを特徴とする表示装置。
【請求項７】
前記光制御部材は液晶パネルであることを特徴とする請求項６に記載の表示装置。
【発明の詳細な説明】
【技術分野】
【０００１】
本発明は、水銀放電管、表示装置用照明装置及び表示装置に関し、より具体的には発光面積を減らすことなく、水銀放電管の管内温度の上昇を抑え、長時間の使用に対して輝度の低下を抑える技術に関する。
【背景技術】
【０００２】
図１１は従来の液晶表示装置１を示す断面図である。直下型の液晶表示装置１は照明装置２と液晶パネル３で構成され、照明装置２は液晶パネル３の背後に配置されている。また、照明装置２は複数の線状光源４が並列に配置されており、液晶パネル３と照明装置２の間にはプリズムシート６を含む光学シート７及び拡散板８が配されている。このような液晶表示装置１では線状光源４から出射された光は拡散板８、光学シート７を通り液晶パネル３に到達する。
【０００３】
ここで、線状光源４には、熱陰極管（ｈｃｆｌ）、冷陰極管（ｃｃｆｌ）等の水銀放電管を用いる。水銀放電管は両管端部に電極を備え、電極に電圧を印可し発生する電子を封入した水銀に当て紫外線を発生させる。そして、この紫外線が放電管内部に塗布された蛍光体に照射され可視光が放射される。このとき、熱陰極管と冷陰極管の発光原理は同じであるが、熱陰極管の電極はフィラメントを用い、電極を加熱して熱電子を放出するのに対して、冷陰極管は電極間の電圧差を利用して電子を発生させる。
【０００４】
また、水銀放電管の輝度は発生する紫外線の発生量に比例し、この紫外線発生量は管内の水銀蒸気圧量によって変化する。しかし、水銀蒸気圧が多い方が紫外線の発生量が多いとはいえず、水銀蒸気圧が一定以上になると紫外線が減る特性がある。また、水銀蒸気圧は水銀放電管の管内温度によって変化する。図１２は光源の輝度と光源周辺の周囲温度との関係を示したものであり、光源の周囲温度が所定値（約４０℃）を越えると輝度が低下することから、水銀放電管の管内温度もある値を超えると輝度が低下すると考えられる。つまり、長時間、水銀放電管を使用し続けると光源の管内温度が上昇し、所定のピーク温度を超えたとき、輝度が減少し始める。
【０００５】
また、図１１で示した液晶表示装置１においては、湿気や埃等の浸入を防ぐため線状光源４はランプハウス内に密封収納されており、外部からの通気性が確保されていない。このため長時間光源を使用した場合、光源周辺の温度が上昇し、輝度低下が問題となっていた。また、大型の液晶表示装置において、光源の輝度を確保する必要から光源の数が増え、ランプハウス内の温度が上昇し易い。
【０００６】
従来この問題を解決するため、様々な形状のランプが提案されていたが、冷却機構を設けることによりランプの発光面積が減少し、輝度低下が問題となっていた。また、本発明に係る放電管と同じく２重管構造により構成されている放電管もあったが、これら２重構造を有する放電管は光源の管内温度を低下させるための構成ではなく、光源の点灯時により良好な点灯を実現するための断熱構造であった（特許文献１，２，３参照）。
【０００７】
【特許文献１】特開２０００−１７３５４２号公報
【特許文献２】特開２０００−２０８０９７号公報
【特許文献３】特開平９−９２２１０号公報
【発明の開示】
【発明が解決しようとする課題】
【０００８】
そこで本発明は、上記問題に鑑み、発光面積を減少させることなく光源に冷却機構を設け長時間の使用に対しても輝度が低下しない水銀放電管及びそれを用いた表示装置用照明装置、液晶表示装置を提供することを目的とする。
【課題を解決するための手段】
【０００９】
上記目的を達成するために本発明は、気密状態で且つ水銀を内封してなる外管の中心軸上に内管が挿通され、前記外管に電極が設けられ、且つ、前記外管内壁に蛍光体が設けられた水銀放電管において、前記内管内を冷却用流体が流通することを特徴とする水銀放電管である。
【００１０】
また本発明は、気密状態で且つ水銀を内封してなる外管の中心軸上に内管が設けられ、前記外管に電極が設けられ、且つ、前記外管内壁に蛍光体が設けられた水銀放電管において、前記内管が前記電極近傍で屈曲して前記外管側面を貫通し、前記内管内を冷却用流体が流通することを特徴とする水銀放電管。
【００１１】
また本発明は、上記構成の水銀放電管において、前記内管の中心軸と前記外管の中心軸が同軸上にないことを特徴とする。
【００１２】
また本発明は、上記構成の水銀放電管において、前記電極がフィラメントコイルを有し、前記フィラメントコイルが前記内管外周に巻かれていることを特徴とする。
【００１３】
また本発明は、光源に上記構成の水銀放電管を用いたことを特徴とする表示装置用照明装置である。
【００１４】
また本発明は、上記表示装置用照明装置と、前記光源から出射した光を制御する光制御部材とを備えることを特徴とする表示装置である。
【００１５】
また本発明は、上記構成の表示装置において、前記光制御部材は液晶パネルであることを特徴とする。
【発明の効果】
【００１６】
本発明の第１の構成によると、気密状態で且つ水銀を内封してなる外管の中心軸上に内管が挿通され、外管内に電極が設けられた場合、この内管と外管の間の空間が発光領域となる。また、内管の一端から内部に冷却用流体を流入し、他端から流出させることで放電管を内部から冷却することができる。これにより、水銀放電管の管内温度を発光効率が最適な温度に調整することができる。なお、この冷却用流体としては気体又は液体どちらでもよいが、液体の方が冷却効果に優れる。
【００１７】
また、外管内壁に蛍光体を塗布しているため、この水銀放冷管の発光面は外管外面である。したがって、内管内部に塵埃等が溜まったり、内管外面に水銀が付着し内管の透明性が失われた場合でも、外管の発光面積は減少しない。
【００１８】
また、本発明の第２の構成によると、気密状態で且つ水銀を内封してなる外管の中心軸上に内管が設けられ、外管内に電極が設けられた場合、この内管と外管の間の空間が発光領域となる。また、内管が電極近傍で屈曲して外管側面を貫通しているため、電極の設置スペースを十分確保することができる。また、内管の一端から内部に冷却用流体を流入し、他端から流出させることで放電管を内部から冷却することができる。これにより、水銀放電管の管内温度を発光効率が最適な温度に調整することができる。なお、この冷却用流体としては気体又は液体どちらでもよいが、液体の方が冷却効果に優れる。
【００１９】
また、外管内壁に蛍光体を塗布しているため、この水銀放冷管の発光面は外管外面である。したがって、内管内部に塵埃等が溜まったり、内管外面に水銀が付着し内管の透明性が失われた場合でも、外管発光面積は減少しない。また、電極近傍は有効発光部ではないため、内管が電極近傍で屈曲し外管側面を貫通した場合でも、発光面積の減少を最小限に抑えることができる。また、当該貫通部分を照射方向とは反対側に配せば、輝度ムラの低下を軽減することができる。
【００２０】
また、本発明の第３の構成によると、内管の中心軸と外管の中心軸を同軸上からずらすことで、照射方向の光量を調節することができる。
【００２１】
また、本発明の第４の構成によると、電極にフィラメントコイルを用いることによりフィラメントコイルの加熱により放電管内部に発生する熱電子を利用して、可視光を発生させることができる。このとき、フィラメントコイルを内管に巻きつけて設けることにより、内管の配置スペースを確保することができる。
【００２２】
また、本発明の第５の構成によると、上記水銀放電管を用いて表示装置用照明装置を構成することにより、所定の輝度を確保しながら長時間の使用においても輝度の低下が少ない表示装置用照明装置を提供することができる。
【００２３】
また、本発明の第６の構成によると、表示装置用照明装置の光源からの光を制御する光制御部材を備えることで、所定の輝度を確保しながら長時間の使用においても輝度の低下が少ない表示装置を提供することができる。
【００２４】
また、本発明の第７の構成によると、光制御部材に液晶パネルを用いることで所定の輝度を確保しながら長時間の使用においても輝度の低下が少ない液晶表示装置を提供することができる。
【発明を実施するための最良の形態】
【００２５】
本発明は、冷却機能を備え、長時間の使用においても輝度低下が起こりにくい水銀放電管及びそれを用いた液晶表示装置である。これらの構成について、図等を利用してさらに詳細に説明する。なお、従来例の図１１と共通する部分には同一の符号を付して説明を省略する。
【００２６】
［実施例１］
図１に本実施形態に係る液晶表示装置を説明するための分解斜視図を示す。図１に示すように、液晶表示装置１は、照明装置２と、液晶パネル（光制御部材）３と、表示装置用フレーム９とを含んでいる。また、照明装置２は、線状光源４と、ランプハウス１０と、反射シート（図示せず）と、ランプホルダ１１で構成され、樹脂製の拡散板８、光学シート７と、照明装置用フレーム１２が液晶パネル３と照明装置２の間に配置されている。
【００２７】
また、駆動装置(不図示)が液晶パネル３および線状光源４に接続されて液晶パネル３および線状光源４を駆動制御する。ここでは、駆動装置は上記駆動制御をするための回路、装置等を総称するものとする。また、液晶パネル３は対向基板間に液晶が封入されたものである。
【００２８】
液晶表示装置１において、光源４から出射した光は、拡散板８および光学シート７を介して液晶パネル３に照射され、液晶パネル３の各画素（または各セル）によって光強度（階調）が制御されたり着色されたりする。すなわち、液晶パネル３は光源４から出射し拡散板８および光学シート７を透過した光を光強度や色等について制御して表示光を作り出す。
【００２９】
ここで、拡散板８はアクリル（ＰＭＭＡ）、メタクリルスチレン（ＭＳ）、ポリスチレン（ＰＳ）、ポリカーボネート（ＰＣ）、シクロオレフィンポリマー（ＣＯＰ、例えば日本ゼオン株式会社の商品「ゼオノア（登録商標）」）等の樹脂から成る平板部材である。拡散板８は、ランプ群からの光を拡散させる役割をするとともに、拡散板８上に光学シート７が配置されている。
【００３０】
また、光学シート７は、例えば拡散シート５、プリズムシート６、レンズシート等の各種光学シートの１枚または複数枚から成る。なお、光学シート７を構成する各種光学シートの枚数は図示の３枚に限られない。また、光学シートに同種の光学シート（例えば拡散シート）を複数枚含ませても構わない。
【００３１】
また、本実施形態では線状光源４として冷陰極管(ＣＣＦＬ；Ｃｏｌｄ  Ｃａｔｈｏｄｅ  Ｆｌｕｏｒｅｓｃｅｎｔ  Ｌａｍｐ)を用いる。図２（ａ）は本実施形態に係る冷陰極管４の斜視図であり、説明上、一部断面図を含んでいる。また、図２（ｂ）は冷陰極管４の長手方向における断面図であり、図２（ｃ）は冷陰極管４の短手方向における断面図である。この冷陰極管４は内管４ａの外側に外管４ｂを有する２重管型の放電管であり、内管４ａと外管４ｂの間の空間は閉塞され、気密状態にある。また、この空間４ｃには水銀が封入されるとともに管端に陽極１３ａ及び陰極１３ｂが設けられており、両電極間に電圧を印可すると密封空間４ｃ内に電子が放出され、この電子が気密空間４ｃ内の水銀に衝突し、紫外線が発生する。そして、この紫外線が外管４ｂ内壁に塗布された蛍光体４ｄに照射され可視光を放出される。
【００３２】
また、内管４ａの開口部が内管４ａと外管４ｂの間の空間４ｃを気密状態にしたまま、外管４ｂ外部に通ずるよう形成されており、一方の開口部から流入した気体は内管４ａ内部を通り他方の開口部より外管４ｂ外部へ流出する（図２（ｂ）矢印参照）。
【００３３】
これにより、内管４ａを介して冷陰極管４内部を気体が通り抜けるため、冷陰極管４の管内温度の上昇を抑え、輝度の低下を防ぐことができる。また、気体だけでなく冷却効果を高めるため液体を流入させてもよい。また、内管４ａ内部に酸化アルミ等熱伝導性に優れる材料を充填して冷却効果を得ることもできる。
【００３４】
また、図３は冷陰極管４の発光過程を示す冷陰極管の断面図であるが、紫外線１４が外管内壁に塗布された蛍光体４ｄに照射され冷陰極管４が発光するため、内管４ａは冷陰極管外部に出射した光を遮断する位置にない。したがって、内管４ａをもうけることで外管４ｂの発光面積が減ることはない。
【００３５】
また、内管４ａは透明であることが望ましいが、内管４ａ内部に塵埃が溜まったり、内管４ａ外面に水銀が付着した場合でも、このことが原因で外管４ｂの発光面積が減ることはない。なお、内管４ａ内部に液体を流入する場合、外管４ｂの光が青色に着色される可能性があるが、このとき、内管４ａに青色を吸収する材料を塗付することで青色発色を抑えることができる。また、逆に内管４ａに青色以外の光を吸収する材料を塗付することで青色に発色させることもできる。また、外管４ｂ内壁に形成した蛍光体の形成にムラがある場合、光源の軸方向に色ムラが発生するが場合があるが、内管４ａに色ムラを相殺する着色を施すことによりこの色ムラを低減することができる。
【００３６】
また、冷陰極管の内径は通常２ｍｍ〜４ｍｍであり、管端部に電極及び内管４ａを設けるのはスペース確保の点から困難である。したがって、図４に示すように内管４ａを電極１３ａ、１３ｂ近傍で屈曲させ、その開口部を外管側面に設けてもよい。このとき、冷陰極管４の照射方向とは反対側に開口部を向けることで光源の輝度ムラを抑えることができる。
【００３７】
また、開口部の一方を外管４ｂ側面に設け、もう一方の開口部を外管４ｂの管端部に設けてもよい。図５は開口部の一方を外管４ｂ側面に設け、もう一方を外管４ｂの管端部に設けた冷陰極管４を備える液晶表示装置１の断面図であり、外管４ｂ側面に設けた開口部はチューブでつながれランプハウス１０背部の駆動装置１７の間から液晶表示装置１背面へ導出され、換気装置１８と接続している。また、もう一方の開口部は冷陰極管４の管端部から液晶表示装置１外部にチューブで導出されている。これにより、換気装置１８により開口部へ送り込まれた外部の空気は、冷陰極管４内を通り液晶表示装置１側面の開口部より外部へ放出される（図５矢印参照）。この構成によると、ランプハウス１０内を密封し、埃塵の浸入を防ぎながら、冷陰極管４内に空気を流通させ管内温度の上昇を抑えることができる。また、これら気体循環機構を液晶表示装置１内にコンパクトに収納することもできる。
【００３８】
次に内管４ａと外管４ｂの配置と光量の関係について説明する。図６は冷陰極管４の断面図であり、光の出射方向を白抜きの矢印で示している。図６（ａ）のように、内管４ａの同心軸と外管４ｂの中心軸が一致している場合、外管４ｂから出射する光は外管の中心軸を中心に放射状に発射されるが、内管４ａの中心軸と外管４ｂの中心軸をずらして冷陰極管４を形成した場合、光は放射状に出射しない。つまり、内管４ａの中心軸と外管４ｂの中心軸をずらした場合、図６（ｂ）に示すように、内管４ａが遠ざかった外管４ｂの面から出射する光量が増加し、内管４ａが接近した外管４ｂの面から出射する光量は減少する。
【００３９】
図７は図１で示した液晶表示装置１を簡略化して示した断面図であり、線状光源には、図２で示した２重管型の冷陰極管４を用いている。ここで、線状光源４と真正面に対向する部位近傍は直射光の単位面積当りの入射光量が最も多いため輝度が高く、線状光源間の中間位置に対向する部位近傍は単位面積当りの入射光量が少なく輝度が低い。
【００４０】
したがって、これら輝度の高低が拡散板８上で線状光源の像となって現われ、輝度むらが生じることがある。また、冷陰極管４と拡散板８を近づけるにつれ拡散板上に線状光源の像がより顕著に現れる。
【００４１】
この問題を解決するために、上述した内管４ａの中心軸と外管４ｂの中心軸が同軸上にない冷陰極管４を用いることができる。図８（ａ）は内管４ａの中心軸を拡散板８側にずらして形成した冷陰極管４を用いた液晶表示装置１である。このような構造の冷陰極管４は図６（ｂ）に示した通り拡散板８方向へ出射する光量が少なく、冷陰極管４と拡散板８が近づけて配置されても線状光源４の像は表出し難い。なお、このとき、輝度及び輝度均一性を確保するため反射板からの反射光を利用する必要がある。
【００４２】
また、図８（ｂ）に示すように内管４ａの中心軸を拡散板８から遠ざけるようにずらして冷陰極管４を形成することで冷陰極管４の拡散板８方向へ出射する光の量は増加し、輝度が向上する。なお、このとき、線状光源４の像が表出しないよう、線状光源４と拡散板８の距離を十分確保する必要がある。また、図８（ｃ）に示すようにこれらを組み合わせて輝度及び輝度均一性が最適な照明装置を作製することもできる。
【００４３】
［実施例２］
次に、本実施形態では線状光源として熱陰極管１５（ＨＣＦＬ；Ｈｏｔ  Ｃａｔｈｏｄｅ  Ｆｌｕｏｒｅｓｃｅｎｔ  Ｌａｍｐ)を用いた場合について検討する。熱陰極管１５を図１で示した液晶表示装置中の線状光源４として使用することができる。特に近年、液晶表示装置の画面サイズが大型化するのに伴い、所定の輝度を確保する必要があり、冷陰極管よりも輝度の高い熱陰極管の使用が検討されている。
【００４４】
図９は本発明に係る熱陰極管１５を示す斜視図及び断面図である。熱陰極管も上記実施例１で示した冷陰極管４と同じ構造をとり、内管１５ａの外側に外管１５ｂを有する２重管型の放電管である。内管１５ａと外管１５ｂの間の空間は閉塞され、気密状態にある。また、この気密空間１５ｃには水銀が封入されるとともにフィラメントコイル１６が設けられた電極が配置されており、フィラメントコイル１６を熱して熱電子を放出し、この熱電子が水銀から紫外線を発生させ、この紫外線が外管１５ｂ内壁に塗布された蛍光体に照射され可視光が放出される。
【００４５】
また、内管１５ａの開口部が、外管１５ｂ外部に通ずるよう形成されており、一方の開口部から流入した気体を内管１５ａ内部を通し他方の開口部から外管１５ｂ外部へ流出させることができる（図９（ｂ）矢印参照）。
【００４６】
これにより、内管１５ａを介して熱陰極管１５内部を気体が通り抜けるため、熱陰極管１５の管内温度の上昇を抑え、輝度の低下を防ぐことができる。また、気体の代わりに液体を流入させ冷却効果を高めることも可能であるし、内管１５ａ内に熱伝導性に優れる材料を充填してもよい。
【００４７】
また、図９に示すようにフィラメントコイル１６を内管１５ａを取り巻くように設け、フィラメントコイル１６の配置スペースを確保することができる。なお、フィラメントコイル１６は内管１５ａ外周に必ず取り巻く必要はなく、図１０に示すように内管１５ａの開口部を外管１５ｂ側面に設けフィラメント設置のためのスペースを確保することも可能である。なお、熱陰極管１５の内径は１５ｍｍ〜３０ｍｍであり、フィラメントを配置するスペースを確保することは冷陰極管に比べ容易である。
【００４８】
また、図５に示すような構成の液晶表示装置１において冷陰極管４の代わりに熱陰極管１５を用いることが可能であるとともに、図６〜図８で上述したように内管１５ａの中心軸と外管１５ｂの中心軸をずらした熱陰極管１５を用いて所定の輝度均一性及び輝度を確保することができる。
【００４９】
以上の説明は本発明のあくまでも一例に過ぎず、種々の変形や応用が考えられる。例えば、照明装置２の光源として、例示した冷陰極管、熱陰極管の代わりに、セミポットを用いることもできるし、拡散板８の直下に光源４が配置される上述の直下型照明装置だけでなくエッジライト型照明装置にも本発明にかかる水銀放電管を適用できる。
【００５０】
さらに、液晶パネル３以外の非自発光型表示パネルを「光制御部材」として照明装置２０と組み合わせて表示装置を構成することも可能である。ここで、照明装置２から出射される光（照明光）の光強度（階調）や色等を制御可能な部材を「光制御部材」と呼ぶとき、液晶パネル３等の表示パネル以外にも、例えば駅等に設置されるバックライト付き看板における当該看板も「光制御部材」に該当する。このとき、上記バックライト付き看板は「表示装置」に該当するとともに、当該バックライトは「表示装置用照明装置」に該当する。さらに、プレゼンテーション等で利用されるオーバーヘッドプロジェクタ（ＯＨＰ）や、レントゲン写真を裏面から照らすためのシャウカステンや、製図等で利用されるバックライトボックス等についても照明装置２を応用することができる。
【００５１】
なお、本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。
【産業上の利用可能性】
【００５２】
本発明によれば、管内温度の上昇により生じる輝度の低下を防止可能な水銀放電管を得ることができ、さらにそのような水銀放電管によって表示品位を改善可能な表示装置用照明装置を得ることができ、その結果、表示品位が改善された表示装置を得ることができる。
【図面の簡単な説明】
【００５３】
【図１】は、本実施形態に係る液晶表示装置を説明するための分解斜視図である。
【図２】は、（ａ）本実施形態に係る冷陰極管を説明するための斜視図、（ｂ）本実施形態に係る冷陰極管の長手方向における断面図、（ｃ）本実施形態に係る冷陰極管の短手方向における断面図である。
【図３】は、本実施形態に係る冷陰極管の発光の原理を説明するための冷陰極管の短手方向における断面図である。
【図４】は、本実施形態に係る冷陰極管の第２例を説明するための冷陰極管の長手方向における  断面図である。
【図５】は、本実施形態に係る冷陰極管の第３例を説明するための液晶表示装置の断面図である。
【図６】は、本実施形態に係る冷陰極管における内管と外管の配置と光量の関係と説明するための冷陰極管の短手方向の断面図である。
【図７】は、本実施形態に係る冷陰極管を用いた液晶表示装置の断面図である。
【図８】は、（ａ）本実施形態に係る冷陰極管を用いた液晶表示装置の第２例を説明するための断面図、（ｂ）本実施形態に係る冷陰極管を用いた液晶表示装置の第３例を説明するための断面図、（ｃ）本実施形態に係る冷陰極管を用いた液晶表示装置の第４例を説明するための断面図である。
【図９】は、（ａ）本実施形態に係る熱陰極管を説明するための斜視図、（ｂ）本実施形態に係る熱陰極管の長手方向における断面図、（ｃ）本実施形態に係る熱陰極管の短手方向における断面図である。
【図１０】は、本実施形態に係る熱陰極管の第２例を説明するための断面図である。
【図１１】は、従来の液晶表示装置を説明するための断面図である。
【図１２】は、管内温度と輝度の関係を示すグラフである。
【符号の説明】
【００５４】
１      液晶表示装置
２      照明装置
３      液晶パネル（光制御部材）
４      冷陰極管
４ａ    内管
４ｂ    外管
４ｃ    空間
４ｄ    蛍光体
５      拡散シート
６      プリズムシート
７      光学シート
８      拡散板
９      表示装置用フレーム
１０    ランプハウス
１１    ランプホルダ
１２    照明装置用フレーム
１３ａ  陽極
１３ｂ  陰極
１４    紫外線
１５    熱陰極管
１５ａ  内管
１５ｂ  外管
１５ｃ  空間
１５ｄ  蛍光体
１６    フィラメント
１７    駆動装置
１８    換気装置
【図１】
2008112657.tif 000003
【図２】
2008112657.tif 000004
【図３】
2008112657.tif 000005
【図４】
2008112657.tif 000006
【図５】
2008112657.tif 000007
【図６】
2008112657.tif 000008
【図７】
2008112657.tif 000009
【図８】
2008112657.tif 000010
【図９】
2008112657.tif 000011
【図１０】
2008112657.tif 000012
【図１１】
2008112657.tif 000013
【図１２】
2008112657.tif 000014